(57)【要約】      （修正有）【課題】発光部を発光させるための操作が不要であり、かつ、組み付けが容易な収容容器を提供する。【解決手段】収容容器は、収容部３１を有する容器本体と、塗布具を有する塗布具本体とを備える。塗布具本体は、基台部６の一方の開放端から露出する金属製のキャップ部９と、電池８の一端とキャップ部９に接続する金属製のバネ１０と、電池８の他端側に基台部６を貫通して配置され、基台部６から露出する接続部１２ａを有する導電片１２と、容器本体と塗布具本体との連結状態において、電池８に当接し、電池８と導電片１２との接続状態を解除する突起４３と、を備える。ＬＥＤ７に第１のリード線１１Ａがキャップ部９にハンダ付けされて接続され、ＬＥＤ７に第２のリード線１１Ｂが接続部１２ａにハンダ付けされて接続される。【選択図】図３
0003159188.tif 000002
【実用新案登録請求の範囲】
【請求項１】
収容部に液体を収容する容器本体と、前記容器本体と連結すると共に、前記液体の塗布に用い、前記容器本体との連結状態において前記収容部内に収容される塗布具を有する塗布具本体と、を備える収容容器であって、
前記塗布具本体は、
電池と、
前記電池と導通することにより発光し、前記容器本体側に光を出射する発光部と、
筒形状に両端が開放されて形成され、内部に前記電池を収容する電池収容部と、
前記電池収容部に設けられ、前記電池収容部の一方の開放端から露出する金属製の第１の発光部接続部と、
前記第１の発光部接続部と前記電池とに当接し、前記電池を所定の方向に付勢すると共に、前記電池の一端と前記第１の発光部接続部に接続する金属製の弾性体と、
前記電池の前記弾性体の付勢状態において、当該電池の当該弾性体による付勢方向上に交差するように前記電池の他端側に前記電池収容部を貫通して配置されると共に、当該電池収容部への配置状態において当該電池収容部から露出する第２の発光部接続部を有する導電片と、
前記容器本体と前記塗布具本体との連結状態において、前記電池に当接し、前記電池を前記弾性体の付勢力に抗して押し戻し、当該電池と前記導電片との接続状態を解除する接続解除突起と、を備え、
前記発光部に第１のリード線が前記第１の発光部接続部にハンダ付けされて接続され、
前記発光部に第２のリード線が前記第２の発光部接続部にハンダ付けされて接続されることを特徴とする収容容器。
【請求項２】
透明樹脂により半導体チップに前記第１のリード線及び前記第２のリード線を一体にモールディングした発光ダイオードであって、
前記第２のリード線は、前記発光部と前記第２の発光部接続部とに余長を撓ませて接続されることを特徴とする請求項１記載の収容容器。
【考案の詳細な説明】
【技術分野】
【０００１】
本考案は、液体等を収容する容器本体と連結し、液体の塗布に用いる塗布具本体と備え、塗布具本体に発光部を有する収容容器に関する。
【背景技術】
【０００２】
従来より、液体等の塗布に用いる塗布具を収容する塗布具本体をと備える収容容器が知られている。また、特許文献１記載においては、塗布具を有する塗布具本体と塗布具を収容する容器本体を備えており、塗布具本体には発光部が設けられている。
【先行技術文献】
【特許文献】
【０００３】
【特許文献１】特表２００５−５３０５２７号公報
【考案の概要】
【考案が解決しようとする課題】
【０００４】
上述した特許文献１記載の発光部は、塗布具本体に設けられたスイッチを押す操作を行うことにより発光するように構成される。
【０００５】
例えば、収容容器の塗布具本体を特許文献１記載の塗布具のように構成した場合には、発光部の点灯に使用者のスイッチ操作が必要な上に、使用者が操作するスイッチを設けることにより装置が大型化するという問題が生じる。
そこで、本考案は、発光部を発光させるための操作が不要であると共に、簡単な構造で、かつ、組み付けが容易な収容容器を提供することを目的とする。
【課題を解決するための手段】
【０００６】
本考案に係る収容容器は、上記課題を解決するために、収容部に液体を収容する容器本体と、前記容器本体と連結すると共に、前記液体の塗布に用い、前記容器本体との連結状態において前記収容部内に収容される塗布具を有する塗布具本体と、を備える収容容器であって、前記塗布具本体は、電池と、前記電池と導通することにより発光し、前記容器本体側に光を出射する発光部と、筒形状に両端が開放されて形成され、内部に前記電池を収容する電池収容部と、前記電池収容部に設けられ、前記電池収容部の一方の開放端から露出する金属製の第１の発光部接続部と、前記第１の発光部接続部と前記電池とに当接し、前記電池を所定の方向に付勢すると共に、前記電池の一端と前記第１の発光部接続部に接続する金属製の弾性体と、前記電池の前記弾性体の付勢状態において、当該電池の当該弾性体による付勢方向上に交差するように前記電池の他端側に前記電池収容部を貫通して配置されると共に、当該電池収容部への配置状態において当該電池収容部から露出する第２の発光部接続部を有する導電片と、前記容器本体と前記塗布具本体との連結状態において、前記電池に当接し、前記電池を前記弾性体の付勢力に抗して押し戻し、当該電池と前記導電片との接続状態を解除する接続解除突起と、を備え、前記発光部に第１のリード線が前記第１の発光部接続部にハンダ付けされて接続され、前記発光部に第２のリード線が前記第２の発光部接続部にハンダ付けされて接続されることを特徴とする。
【０００７】
また、透明樹脂により半導体チップに前記第１のリード線及び前記第２のリード線を一体にモールディングした発光ダイオードであって、前記第２のリード線は、前記発光部と前記第２の発光部接続部とに余長を撓ませて接続されることが好ましい。
【考案の効果】
【０００８】
本考案によれば、発光部を発光させるための操作が不要であると共に、簡単な構造で、かつ、組み付けが容易な収容容器を提供することができる。
【図面の簡単な説明】
【０００９】
【図１】本考案に係る収容容器を示す図で、（ａ）は外観斜視図、（ｂ）は側面図、（ｃ）は容器本体から塗布具本体を取り外した状態を示す図である。
【図２】容器本体及び塗布具本体を示す図で、（ａ）は塗布具本体の外観図、（ｂ）は（ａ）の底面図、（ｃ）は容器本体の断面図、（ｄ）は（ａ）の平面図ある。
【図３】塗布具本体から外装部材を取り外した状態を示す図で、（ａ）は斜視図、（ｂ）は（ａ）の平面図、（ｃ）は、収容容器の断面図、（ｄ）は軸部材と導電片を示す斜視図である。
【図４】発光部の発光をさせる仕組みを示す図で、（ａ）は導電片の直交方向となるように切断した収容容器の要部断面図、（ｂ）は（ａ）の塗布具本体と容器本体との螺合解除状態を示す部分断面図である。
【考案を実施するための形態】
【００１０】
以下、本考案の実施形態について、図１及び図２を用いて説明する。図１は、本考案に係る収容容器を示す図で、（ａ）は外観斜視図、（ｂ）は側面図、（ｃ）は容器本体から塗布具本体を取り外した状態を示す図である。図２は、容器本体及び塗布具本体を示す図で、（ａ）は塗布具本体の外観図、（ｂ）は（ａ）の底面図、（ｃ）は容器本体の断面図、（ｄ）は（ａ）の平面図ある。
【００１１】
本実施形態における収容容器１は、図１（ａ）から（ｃ）に示すように、例えば、グロス液やマスカラ液等の化粧液を収容する容器本体３と、化粧液を塗布する塗布体として機能する後述する刷毛５を有する塗布具本体２とを備える。
【００１２】
塗布具本体２は、容器本体３への取り付け状態において、容器本体３の内部に刷毛５を収容可能に構成され、容器本体３の収容部分を密閉するキャップとして機能するように構成される。
【００１３】
また、容器本体３は、塗布具本体２には、後述するＬＥＤ７（発光部）が設けられ、図１（ｃ）に示すように、収容容器１から塗布具本体２を取り外すことにより、塗布具本体２に設けられるＬＥＤ７が発光（点灯）するように構成される。
【００１４】
塗布具本体２は、図２（ａ）に示すように、外装部材２１と、軸部材４と、内部に後述する基台部６を備える。また、基台部６には、螺合雌部２４が設けられ、この螺合雌部２４が後述する容器本体３に設けられる螺合雄部３５と螺合するように構成される。
外装部材２１は、軸部材４の上部を覆うように構成され、反射部材により形成される。
軸部材４は、軸部分４１と、刷毛５とを備える。軸部分４１は、棒状に形成され、容器本体３への取付け時に容器本体３の後述する収容部３１内に収容される。刷毛５は、軸部分４１に取付けられ、容器本体３への取付け時に容器本体３の収容空間３４内に収容される。
【００１５】
容器本体３は、図２（ｂ）に示すように、角筒形状に形成され、内部に化粧液を収容可能な収容部３１が形成される。この収容部３１の一端には、開口が設けられる。また、容器本体３は、塗布具本体２と連結される連結部３２と、連結部３２に取り付けられるチューブ３３とを備える。
【００１６】
収容部３１は、連結部３２が取り付けられることにより収容空間３４となるように一端が開放する中空形状に形成される。また、収容部３１は、透明部材により形成されている。このため、使用者は、化粧液の収容状態及び塗布具本体２を容器本体３に取り付けた状態において刷毛の収納状態を視認することができる。また、収容部３１の外部には鏡ｍが設けられる。使用者は、この鏡ｍを用いて、塗布作業を行う。
【００１７】
連結部３２は、両端が開放した中空状の円筒部分を有する。この円筒部分は、外周面に螺合雄部３５が形成される。また、連結部３２は、反射部材により形成されている。このため、連結部３２は、ＬＥＤ７からの光を反射することができる。
【００１８】
次に、塗布具本体２の外装部材２１の内部の構造について、図２から図４を用いて詳述する。図３は、塗布具本体２から外装部材２１を取り外した状態を示す図で、（ａ）は斜視図、（ｂ）は（ａ）の平面図、（ｃ）は、収容容器１の断面図、（ｄ）は軸部材４と導電片１２を示す斜視図である。また、図４は、ＬＥＤ７の発光をさせる仕組みを示す図で、（ａ）は導電片１２の直交方向となるように切断した収容容器１の要部断面図、（ｂ）は（ａ）の塗布具本体２と容器本体３の螺合解除状態を示す部分断面図である。
【００１９】
図３（ａ）に示すように、塗布具本体２から外装部材２１を取り外した状態において示すように、塗布具本体２には、さらに、軸部材４と基台部６とＬＥＤ７とキャップ部９と導電片１２を備え、図３（ｃ）に示すように、電池８とバネ１０（弾性体）とを備える。
【００２０】
基台部６は樹脂製で、内部に軸部材４の後述する係合爪４５等が連結可能に中空状に形成され、基台部本体６１と第１円筒部６２と第２円筒部６３を備える。
【００２１】
基台部本体６１は、図３（ｂ）に示すように、外装部材２１の内部に収容可能な四角形状である。また、基台部本体６１は、図３（ａ）に示すように、ＬＥＤ収容孔６１１と、図２（ａ）に示すように、連結部３２の螺合雄部３５に対応する螺合雌部２４とを備える。
６１１は、図３（ｃ）に示すように、ＬＥＤ７を収容し、ＬＥＤ７が点灯することにより、図１（ｃ）に示すように、塗布具本体２の下方に光を導く機能を有する。
【００２２】
第１円筒部６２は、基台部本体６１よりも小径となる円筒形状に形成され、係合開口６２１と貫通孔６２２とを備える。
係合開口６２１は、図３（ａ）、図４（ａ）及び図４（ｂ）に示すように、後述する軸部材４の係合爪４５が係合すると共に、この係合爪４５が上方に移動可能な大きさに形成される。
貫通孔６２２は、図３（ａ）及び図３（ｂ）に示すように、第１円筒部６２を導電片１２が通過可能な大きさに形成される。
【００２３】
第２円筒部６３は、第１円筒部６２よりも小径な円筒形状であり、内部に電池８に対応する大きさに形成される。また、第２円筒部６３の頂部には、頂部開口６３１を有する。この頂部開口６３１は、電池８を介してＬＥＤ７の電極となるキャップ部９が露出可能な大きさに形成される。
【００２４】
ＬＥＤ（Ｌｉｇｈｔ  Ｅｍｉｔｔｉｎｇ  Ｄｉｏｄｅ、発光ダイオード）７は、透明樹脂により半導体チップに第１のリード線及び第２のリード線を一体にモールディングした発光ダイオード（発光部）として構成される。
【００２５】
図２（ｃ）及び図３（ｂ）に示すように、基台部６の対向位置に２つ設けられる。また、ＬＥＤ７は、ＬＥＤ収容孔６１１に固定され、後述するリード線１１により、キャップ部９及び導電片１２を介して、電池８に接続されることにより、電池８からの電力の供給を受けて点灯可能に構成される。また、ＬＥＤ７は点灯することにより、ＬＥＤ収容孔６１１を通じて、図１（ｃ）に示すように、光（図１（ｃ）中において、一点鎖線で示す。）が塗布具本体２の外方へ照射される。また、ＬＥＤ７の点灯及び消灯は、螺合操作に対応するように構成される。このため、塗布具本体２と容器本体３の螺合解除操作によって、点灯したＬＥＤ７の光は、容器本体３の連結部３２に照射されて反射する。したがって、螺合操作により審美感を使用者に与えることができる。
【００２６】
また、刷毛５の容器本体３への収納時には、点灯したＬＥＤ７の光によって、チューブ３３への開口部分（刷毛５の収納先の入り口）を照射することができ、使用者の収納操作を容易にする。また、塗布具本体２の容器本体３の収納後の螺合操作時においては、ＬＥＤ７が消灯することで螺合操作が完了を使用者に報知することができる。
【００２７】
ＬＥＤ７として発光ダイオードと一体にモールディングされる第１のリード線１１Ａ及び第２のリード線１１Ｂは、所定の剛性を有しており、ＬＥＤ７の正極側と負極に接続される。第１のリード線１１Ａの正極側の端部は、キャップ部９にハンダ付けされる。また、第２のリード線１１Ｂの負極側の端部は、導電片１２にハンダ付けされる。また、所定の剛性を有する第２のリード線１１Ｂにより、導電片１２がハンダ付けされているために、導電片１２の位置を維持することができる。このため、第２のリード線１１Ｂは、導電片１２が移動して、電池８との不要な接触を防止するように機能する。
【００２８】
また、ＬＥＤ７と導電片１２とを接続する第２のリード線１１Ｂは、図３（ａ）から図３（ｃ）に示すように、余長を撓ませて接続される。このため、導電片１２は、衝撃等が加わっても、第２のリード線１１Ｂの余長分、移動し、衝撃等の力が緩衝される。したがって、不用意に電池８と導電片１２とが接触してＬＥＤ７が発光してしまうことがない。また、導電片１２の移動範囲が第２のリード線１１Ｂによって決定されるために、貫通孔６２２の大きさを厳密に設定する必要がないために、貫通孔６２２が形成される基台部６は高い生産精度が求められることがない。
【００２９】
電池８は、図３（ｃ）に示すように、ＬＥＤ７の電源となるボタン型の電池である。電池８は、キャップ部９とバネ１０と第１のリード線１１Ａを介してＬＥＤ７の正極に接続され、導電片１２と第２のリード線１１Ｂを介してＬＥＤ７の負極に接続される。
【００３０】
キャップ部９は、金属製の帽子形状であり、バネ１０と第１のリード線１１Ａを介して、電池８とＬＥＤ７とが接続される。また、キャップ部９は、図３（ａ）から図３（ｃ）に示すように、鍔部分を頂部開口６３１の周縁部に係合させて、頂部開口６３１から露出するように基台部６取り付けられる。また、キャップ部９には、第１のリード線１１Ａがハンダ付けされる。
【００３１】
バネ１０は、キャップ部９と電池８との間に設けられる金属製のバネ材であり、電池８を下方（図３（ｃ）において、導電片１２及び軸部材４方向）に付勢する。つまり、バネ１０は、電池８を付勢することで、結果として、電池８と導電片１２との接続状態を維持する。
【００３２】
導電片１２は、金属製で、図３（ｄ）に示すように、平板形状に形成される。また、導電片１２は、図３（ｂ）に示すように、両端に第１円筒部６２の取り付け状態において第１円筒部６２から露出し、第２のリード線１１Ｂがハンダ付けされる接続部１２ａ（第２の発光部接続部）を有する。また、接続部１２ａの一方側は、貫通孔６２２よりも大きく形成される。このため、第１円筒部６２へ貫通させた状態において、導電片１２の一方が第１円筒部６２からの脱落を防止するための抜け止めとして機能すると共に、ハンダ付け等において位置決めとして機能する。
【００３３】
次に、軸部材４はさらに、基部４２を備える。この基部４２の詳細について図３（ｄ）を用いて、説明する。
基部４２は、円柱形状に形成され、一端に軸部分４１が設けられる。また、基部４２は、軸部分４１の他端側に凹部４４と突起４３（接続解除突起）と係合爪４５とを備える。
【００３４】
突起４３は、基部４２の頂部から突出するように形成される。図４（ａ）に示すように、塗布具本体２と容器本体３との螺合状態において、導電片１２よりも上方に位置して、付勢された電池８と当接するように構成される。
【００３５】
凹部４４は、基部４２の頂部を切り欠いて形成される。導電片１２が内部に位置した状態において、導電片１２が頂部から露出しないような大きさに形成される。
【００３６】
係合爪４５は、係合開口６２１に対応して、基部４２の側方において対称となる位置に設けられる。また、係合爪４５は、図４（ａ）及び図４（ｂ）に示すように、第１円筒部６２の係合開口６２１と係合するため、第１円筒部６２から基部４２の脱落を防止する機能を有すると共に、係合開口６２１の大きさに対応して、基部４２の上下の移動範囲を規制する機能を有する。
【００３７】
次に、塗布具本体２の組み付けについて説明する。
まず、塗布具本体２の組み付けは、基台部６を逆にした状態で、第２円筒部６３の内部に、頂部開口６３１からキャップ部９の頂部が露出するようにキャップ部９を取り付ける。
【００３８】
次に、キャップ部９の凹部分にバネ１０を配置する。さらに、バネ１０の上から電池８を配置する。そして、軸部材４を基台部本体６１に内部に取り付ける。つまり、軸部材４の係合爪４５を基台部本体６１の係合開口６２１に係合させる。この状態から、導電片１２を基部４２の凹部４４に貫通させて、配置する。
【００３９】
次に、ＬＥＤ７をＬＥＤ収容孔６１１に取り付ける。
次に、第１のリード線１１Ａの正極側の端部をキャップ部９にハンダ付けを行い、第２のリード線１１Ｂの正極側の端部を導電片１２にハンダ付けを行う。つまり、塗布具本体２の組み付けについては、全ての内部部品が組みあがったところではんだ付けを行う。
最後に、外装部材２１を基台部６に取り付ける。
【００４０】
以上のように、組み付けられる収容容器１（詳細には、塗布具本体２）においては、全ての内部部品が組みあがったところではんだ付けを行うために、組み付け操作が容易になる。また、収容容器１においては、基台部６から露出し、さらに突出している部分（キャップ部９の頂部と導電片１２の端部）にはんだ付けを行うために、内部箇所ではんだ付けを行う場合に比べて、はんだ付けの作業性を向上させることができる。
【００４１】
次に、外装部材２１の内部に収容されるＬＥＤ７の点灯・消灯の動作について図４を用いて詳細に説明する。
【００４２】
図４（ａ）に示すように、塗布具本体２と容器本体３との螺合状態においては、突起４３が電池８と接触した状態となっている。この状態では、ＬＥＤ７は、正極においては、リード線１１とキャップ部９とバネ１０とを介して、電池８と接続するが、負極側においては、リード線１１に接続される導電片１２が電池８と接続していないために、導通せずに点灯しない。つまり、凹部４４において、導電片１２を収容する位置に凹部４４が位置している。このため、導電片１２は、電池８と接続しないために、ＬＥＤ７が点灯しない。さらに、突起４３によって、バネ１０の付勢力に抗して、電池８を上方に押し上げているために、導電片１２と電池８との接続状態がより断たれる。
【００４３】
一方、図４（ｂ）に示すように、塗布具本体２と容器本体３との螺合解除状態においては、螺合が解除されて、基部４２が下方に移動する。このため、バネ１０により付勢される電池８と導電片１２とが接続する。電池８と導電片１２とが接続することによって、ＬＥＤ７の負極側は、第２のリード線１１Ｂ及び導電片１２を介して、電池８と接続されることとなるために、導通し、発光する。
【００４４】
以上のように構成される収容容器１は、螺合解除状態においても確実にＬＥＤ７を点灯させることができると共に、ＬＥＤ７の点灯状態を維持することができる。
【００４５】
以上、本考案に係る収容容器１の好適な実施形態について説明したが、本考案に係る収容容器１は、上述した実施形態に限定されることなく種々の形態で実施することができる。
【００４６】
なお、本実施形態においては、螺合操作により、容器本体３と塗布具本体２との連結を行ったがこれに限られない。容器本体３と塗布具本体２との連結は、連結状態が維持できると共に、連結操作によって、バネ１０の付勢力に抗して電池と導電片１２との接続状態を解除できるように突起４３を移動させることができればよい。
【００４７】
また、容器本体３に収容される液体は、グロス等の化粧用品に限られない。例えば、塗布具により、塗布可能なものであればよく、接着剤等でもよい。また、液体は、流動性の有無に限られず、流動性のないもの（例えば、ペースト状のもの）であってもよい。液体は、露出状態において乾燥してしまうようなものでなければよい。
【符号の説明】
【００４８】
１        収容容器
２        塗布具本体
３        容器本体
５        刷毛（塗布具）
６        基台部（電池収容部）
７        ＬＥＤ、発光ダイオード（発光部）
８        電池
９        キャップ部（第１の発光部接続部）
１０      バネ
１１Ａ    第１のリード線
１１Ｂ    第２のリード線
１２      導電片
１２ａ    接続部（第２の発光部接続部）
３１      収容部
４３      突起（接続解除突起）
【図１】
0003159188.tif 000003
【図２】
0003159188.tif 000004
【図３】
0003159188.tif 000005
【図４】
0003159188.tif 000006
【手続補正書】
【提出日】平成22年2月25日(2010.2.25)
【手続補正１】
【補正対象書類名】実用新案登録請求の範囲
【補正対象項目名】全文
【補正方法】変更
【補正の内容】
【実用新案登録請求の範囲】
【請求項１】
収容部に液体を収容する容器本体と、前記容器本体と連結すると共に、前記液体の塗布に用い、前記容器本体との連結状態において前記収容部内に収容される塗布具を有する塗布具本体と、を備える収容容器であって、
前記塗布具本体は、
電池と、
前記電池と導通することにより発光し、前記容器本体側に光を出射する発光部と、
筒形状に両端が開放されて形成され、内部に前記電池を収容する電池収容部と、
前記電池収容部に設けられ、前記電池収容部の一方の開放端から露出する金属製の第１の発光部接続部と、
前記第１の発光部接続部と前記電池とに当接し、前記電池を所定の方向に付勢すると共に、前記電池の一端と前記第１の発光部接続部に接続する金属製の弾性体と、
前記電池の前記弾性体の付勢状態において、当該電池の当該弾性体による付勢方向上に交差するように前記電池の他端側に前記電池収容部を貫通して配置されると共に、当該電池収容部への配置状態において当該電池収容部から露出する第２の発光部接続部を有する導電片と、
前記容器本体と前記塗布具本体との連結状態において、前記電池に当接し、前記電池を前記弾性体の付勢力に抗して押し戻し、当該電池と前記導電片との接続状態を解除する接続解除突起と、を備え、
前記発光部に第１のリード線が前記第１の発光部接続部にハンダ付けされて接続され、
前記発光部に第２のリード線が前記第２の発光部接続部にハンダ付けされて接続されることを特徴とする収容容器。
【請求項２】
前記発光部は、透明樹脂により半導体チップに前記第１のリード線及び前記第２のリード線を一体にモールディングした発光ダイオードであり、
前記第２のリード線は、前記発光部と前記第２の発光部接続部とに余長を撓ませて接続されることを特徴とする請求項１記載の収容容器。